(57)【要約】【課題】信号書込み期間と移動度補正期間を分割可能な制御方式の表示装置を提供する。【解決手段】サンプリングトランジスタＴｒ１は、信号線ＳＬが信号電位Ｖｓｉｇで給電線ＶＬがフローティング状態の時走査線ＷＳに供給された制御信号に応じてオンし、信号線ＳＬから信号電位Ｖｓｉｇをサンプリングして保持容量Ｃｓに書き込む。ドライブトランジスタＴｒｄは、サンプリングトランジスタＴｒ１が引き続きオン状態で給電線ＶＬがフローティング状態から電源供給状態に切り換った後、サンプリングトランジスタＴｒ１がオフするまでの間に、ドライブトランジスタＴｒｄを流れる電流を保持容量Ｃｓに負帰還して、ドライブトランジスタＴｒｄの移動度のバラツキを補正する。発光素子ＥＬは、サンプリングトランジスタＴｒ１がオフした後、ドライブトランジスタＴｒｄから供給される電流に応じて発光する。【選択図】図６
2009098431.tif 000002
【特許請求の範囲】
【請求項１】
画素アレイ部と駆動部とからなり、
前記画素アレイ部は、行状の走査線と、列状の信号線と、各走査線と各信号線とが交差する部分に配された行列状の画素と、各走査線と平行に配された給電線とを備え、
各画素は少なくとも、サンプリングトランジスタと、ドライブトランジスタと、保持容量と、発光素子とを備え、
前記サンプリングトランジスタは、その制御端が該走査線に接続し、その一対の電流端が該信号線と該ドライブトランジスタの制御端との間に接続し、
前記ドライブトランジスタは、一対の電流端の一方が該発光素子に接続し、他方が給電線に接続し、
前記保持容量は、該ドライブトランジスタの制御端と電流端との間に接続し、
前記駆動部は少なくとも、各走査線に順次制御信号を供給して線順次走査を行うライトスキャナと、線順次走査に同期して各信号線に信号電位と基準電位を切り換えて供給する信号セレクタと、線順次走査に合わせて各給電線を電源供給状態とフローティング状態で切り換える電源スキャナとを有し、
前記サンプリングトランジスタは、該信号線が信号電位で該給電線がフローティング状態の時該走査線に供給された制御信号に応じてオンし、該信号線から該信号電位をサンプリングして該保持容量に書き込み、
前記ドライブトランジスタは、該サンプリングトランジスタが引き続きオン状態で該給電線がフローティング状態から電源供給状態に切り換った後、該サンプリングトランジスタがオフするまでの間に、該ドライブトランジスタを流れる電流を該保持容量に負帰還して、該ドライブトランジスタの移動度のバラツキを補正し、
前記発光素子は、該サンプリングトランジスタがオフした後、該ドライブトランジスタから供給される電流に応じて発光することを特徴とする表示装置。
【請求項２】
前記電源スキャナは、線順次走査に合わせて各段ごとに入力信号を出力するシフトレジスタと、該シフトレジスタの各段と対応する各給電線との間に配されたバッファとからなり、
前記バッファは、該入力信号に応じて対応する給電線をフローティング状態と電源供給状態との間で切り換えることを特徴とする請求項１記載の表示装置。
【請求項３】
前記電源スキャナは、各給電線に対応してスイッチを有しており、線順次走査に合わせて各スイッチをオンオフ制御して給電線をフローティング状態と電源供給状態との間で切り換えることを特徴とする請求項１記載の表示装置。
【請求項４】
前記サンプリングトランジスタは、該信号線が基準電位で該給電線が所定の固定電位にある時該走査線に供給された制御信号に応じてオンし、該ドライブトランジスタの制御端を基準電位にセットし、該ドライブトランジスタの電流端を固定電位にセットし、
前記電源スキャナは、給電線を固定電位から電源供給状態に戻して該ドライブトランジスタがカットオフするまで電流を流し、以って該ドライブトランジスタの閾電圧に相当する電圧を該保持容量に保持することを特徴とする請求項１記載の表示装置。
【請求項５】
請求項１に記載の表示装置を備えた電子機器。
【発明の詳細な説明】
【技術分野】
【０００１】
本発明は発光素子を画素に用いたアクティブマトリクス型の表示装置に関する。またこの種の表示装置を備えた電子機器に関する。
【背景技術】
【０００２】
表示装置、例えば液晶ディスプレイなどでは、多数の液晶画素をマトリクス状に並べ、表示すべき画像情報に応じて画素毎に入射光の透過強度又は反射強度を制御することによって画像を表示する。これは、有機ＥＬ素子を画素に用いた有機ＥＬディスプレイなどにおいても同様であるが、液晶画素と異なり有機ＥＬ素子は自発光素子である。その為、有機ＥＬディスプレイは液晶ディスプレイに比べて画像の視認性が高く、バックライトが不要であり、応答速度が高いなどの利点を有する。又、各発光素子の輝度レベル（階調）はそれに流れる電流値によって制御可能であり、いわゆる電流制御型であるという点で液晶ディスプレイなどの電圧制御型とは大きく異なる。
【０００３】
有機ＥＬディスプレイにおいては、液晶ディスプレイと同様、その駆動方式として単純マトリクス方式とアクティブマトリクス方式とがある。前者は構造が単純であるものの、大型且つ高精細のディスプレイの実現が難しいなどの問題がある為、現在はアクティブマトリクス方式の開発が盛んに行なわれている。この方式は、各画素回路内部の発光素子に流れる電流を、画素回路内部に設けた能動素子（一般には薄膜トランジスタ、ＴＦＴ）によって制御するものであり、以下の特許文献に記載がある。
【特許文献１】特開２００３−２５５８５６
【特許文献２】特開２００３−２７１０９５
【特許文献３】特開２００４−１３３２４０
【特許文献４】特開２００４−０２９７９１
【特許文献５】特開２００４−０９３６８２
【特許文献６】特開２００６−２１５２１３
【発明の開示】
【発明が解決しようとする課題】
【０００４】
従来の画素回路は、制御信号を供給する行状の走査線と映像信号を供給する列状の信号線とが交差する部分に配され、少なくともサンプリングトランジスタと保持容量とドライブトランジスタと発光素子とを含む。サンプリングトランジスタは、走査線から供給される制御信号に応じ導通して信号線から供給された映像信号をサンプリングする。保持容量は、サンプリングされた映像信号の信号電位に応じた入力電圧を保持する。ドライブトランジスタは、保持容量に保持された入力電圧に応じて所定の発光期間に出力電流を駆動電流として供給する。尚一般に、出力電流はドライブトランジスタのチャネル領域のキャリア移動度及び閾電圧に対して依存性を有する。発光素子は、ドライブトランジスタから供給された出力電流により映像信号に応じた輝度で発光する。
【０００５】
ドライブトランジスタは、保持容量に保持された入力電圧を制御端であるゲートに受けて電流端であるソース／ドレイン間に出力電流を流し、発光素子に通電する。一般に発光素子の発光輝度は通電量に比例している。更にドライブトランジスタの出力電流供給量はゲート電圧すなわち保持容量に書き込まれた入力電圧によって制御される。従来の画素回路は、ドライブトランジスタのゲートに印加される入力電圧を入力映像信号に応じて変化させることで、発光素子に供給する電流量を制御している。
【０００６】
ここでドライブトランジスタの動作特性は以下の特性式で表わされる。
Ｉｄｓ＝（１／２）μ（Ｗ／Ｌ）Ｃｏｘ（Ｖｇｓ−Ｖｔｈ）２
このトランジスタ特性式において、Ｉｄｓはソース／ドレイン間に流れるドレイン電流を表わしており、画素回路では発光素子に供給される出力電流である。Ｖｇｓはソースを基準としてゲートに印加されるゲート電圧を表わしており、画素回路では上述した入力電圧である。Ｖｔｈはトランジスタの閾電圧である。又μはトランジスタのチャネルを構成する半導体薄膜の移動度を表わしている。その他Ｗはチャネル幅を表わし、Ｌはチャネル長を表わし、Ｃｏｘはゲート容量を表わしている。このトランジスタ特性式から明らかな様に、薄膜トランジスタは飽和領域で動作する時、ゲート電圧Ｖｇｓが閾電圧Ｖｔｈを超えて大きくなると、オン状態となってドレイン電流Ｉｄｓが流れる。原理的に見ると上記のトランジスタ特性式が示す様に、ゲート電圧Ｖｇｓが一定であれば常に同じ量のドレイン電流Ｉｄｓが発光素子に供給される。従って、画面を構成する各画素に全て同一のレベルの映像信号を供給すれば、全画素が同一輝度で発光し、画面の一様性（ユニフォーミティ）が得られるはずである。
【０００７】
しかしながら実際には、ポリシリコンなどの半導体薄膜で構成された薄膜トランジスタ（ＴＦＴ）は、個々のデバイス特性にばらつきがある。特に、閾電圧Ｖｔｈは一定ではなく、各画素毎にばらつきがある。前述のトランジスタ特性式から明らかな様に、各ドライブトランジスタの閾電圧Ｖｔｈがばらつくと、ゲート電圧Ｖｇｓが一定であっても、ドレイン電流Ｉｄｓにばらつきが生じ、画素毎に輝度がばらついてしまう為、画面のユニフォーミティを損なう。従来からドライブトランジスタの閾電圧のばらつきをキャンセルする機能を組み込んだ画素回路が開発されており、例えば前記の特許文献３に開示がある。
【０００８】
しかしながら、発光素子に対する出力電流のばらつき要因は、ドライブトランジスタの閾電圧Ｖｔｈだけではない。上記のトランジスタ特性式から明らかなように、ドライブトランジスタの移動度μがばらついた場合にも、出力電流Ｉｄｓが変動する。この結果、画面のユニフォーミティが損なわれる。従来からドライブトランジスタの移動度のばらつきを補正する機能を組み込んだ画素回路が開発されており、例えば前記の特許文献６に開示がある。
【０００９】
従来の画素回路は、映像信号をサンプリングして保持容量に書き込む信号書込動作と、移動度補正動作を同時に行っている。移動度補正は、ドライブトランジスタの制御端であるゲートに信号電位を印加しつつ、一対の電流端であるドレインとソースとの間に流れる電流を保持容量に負帰還することでドライブトランジスタの移動度のばらつきをキャンセルしている。この様な動作シーケンスの関係から、従来の表示装置は信号書込動作と移動度補正動作を同時に行う構成となっている。
【００１０】
しかしながら最適な信号書込み期間と最適な移動度補正期間は必ずしも同じでないにもかかわらず、従来の表示装置は信号書込動作と移動度補正動作を同期間で行っているため、必ずしも最適な動作状態を確保することが出来ないという課題があった。例えば表示装置の画素の高精細化及び高密度化が進むと、信号書込み時間をある程度確保しながら、移動度補正時間は最適化のため短くする必要がある。従来の表示装置は信号書込み時間と移動度補正時間を分離出来ないため、上述した要請に応えることが出来ず、表示装置の高精細化及び高密度化に対処することが出来なかった。
【課題を解決するための手段】
【００１１】
上述し従来の技術の課題に鑑み、本発明は信号書込み期間と移動度補正期間を分割可能な制御方式の表示装置を提供することを目的とする。かかる目的を達成するために以下の手段を講じた。即ち本発明にかかる表示装置は、画素アレイ部と駆動部とからなり、前記画素アレイ部は、行状の走査線と、列状の信号線と、各走査線と各信号線とが交差する部分に配された行列状の画素と、各走査線と平行に配された給電線とを備え、各画素は少なくとも、サンプリングトランジスタと、ドライブトランジスタと、保持容量と、発光素子とを備え、前記サンプリングトランジスタは、その制御端が該走査線に接続し、その一対の電流端が該信号線と該ドライブトランジスタの制御端との間に接続し、前記ドライブトランジスタは、一対の電流端の一方が該発光素子に接続し、他方が給電線に接続し、前記保持容量は、該ドライブトランジスタの制御端と電流端との間に接続し、前記駆動部は少なくとも、各走査線に順次制御信号を供給して線順次走査を行うライトスキャナと、線順次走査に同期して各信号線に信号電位と基準電位を切り換えて供給する信号セレクタと、線順次走査に合わせて各給電線を電源供給状態とフローティング状態で切り換える電源スキャナとを有し、前記サンプリングトランジスタは、該信号線が信号電位で該給電線がフローティング状態の時該走査線に供給された制御信号に応じてオンし、該信号線から該信号電位をサンプリングして該保持容量に書き込み、前記ドライブトランジスタは、該サンプリングトランジスタが引き続きオン状態で該給電線がフローティング状態から電源供給状態に切り換った後、該サンプリングトランジスタがオフするまでの間に、該ドライブトランジスタを流れる電流を該保持容量に負帰還して、該ドライブトランジスタの移動度のバラツキを補正し、前記発光素子は、該サンプリングトランジスタがオフした後、該ドライブトランジスタから供給される電流に応じて発光することを特徴とする。
【００１２】
好ましくは前記電源スキャナは、線順次走査に合わせて各段ごとに入力信号を出力するシフトレジスタと、該シフトレジスタの各段と対応する各給電線との間に配されたバッファからなり、前記バッファは、該入力信号に応じて対応する給電線をフローティング状態と電源供給状態との間で切り換える。又前記電源スキャナは、各給電線に対応してスイッチを有しており、線順次走査に合わせて各スイッチをオンオフ制御して給電線をフローティング状態と電源供給状態との間で切り換える。又前記サンプリングトランジスタは、該信号線が基準電位で該給電線が所定の固定電位にある時該走査線に供給された制御信号に応じてオンし、該ドライブトランジスタの制御端を基準電位にセットし、該ドライブトランジスタの電流端を固定電位にセットし、前記電源スキャナは、給電線を固定電位から電源供給状態に戻して該ドライブトランジスタがカットオフするまで電流を流し、以って該ドライブトランジスタの閾電圧に相当する電圧を該保持容量に保持する。
【発明の効果】
【００１３】
本発明によれば信号書込み期間では画素に対する給電線をフローティング状態にしてサンプリングトランジスタをオンし信号線から映像信号をドライブトランジスタの制御端（ゲート）に書き込んでいる。このとき給電線はフローティング状態であるため、保持容量に対する映像信号の書き込みを行う間、ドライブトランジスタには電流が流れないため、移動度補正動作を行うことはない。この後映像信号の信号電位が保持容量に十分書き込まれた段階で、給電線をフローティング状態から電源供給状態に切換え、画素に電流を供給する。これによりドライブトランジスタはそのゲートに映像信号の信号電位が印加された状態で電流を保持容量に負帰還し、所望の移動度補正動作を行う。かかる動作シーケンスにより、信号電位書込み期間と移動度補正期間とを分割することが可能となり、それぞれの期間を最適に調整できる。これにより表示装置の高精細化及び高密度化に対処することが可能となり、高画質化を達成することが出来る。
【発明を実施するための最良の形態】
【００１４】
以下図面を参照して本発明の実施の形態を詳細に説明する。その前に本発明の理解を容易にし且つ背景を明らかにするため、先行開発にかかる表示装置を参考例として説明する。図１はこの参考例にかかる表示装置の全体構成を示すブロック図である。図示するように、本表示装置は、画素アレイ部１とこれを駆動する駆動部とからなる。画素アレイ部１は、行状の走査線ＷＳと、列状の信号線（信号ライン）ＳＬと、両者が交差する部分に配された行列状の画素２と、各画素２の各行に対応して配された給電線（電源ライン）ＶＬとを備えている。なお本例は、各画素２にＲＧＢ三原色のいずれかが割り当てられており、カラー表示が可能である。但しこれに限られるものではなく、単色表示のデバイスも含む。駆動部は、各走査線ＷＳに順次制御信号を供給して画素２を行単位で線順次走査するライトスキャナ４と、この線順次走査に合わせて各給電線ＶＬに第１電位と第２電位で切換る電源電圧を供給する電源スキャナ６と、この線順次走査に合わせて列状の信号線ＳＬに駆動信号となる信号電位と基準電位を供給する信号セレクタ（水平セレクタ）３とを備えている。
【００１５】
図２は、図１に示した先行開発にかかる表示装置に含まれる画素２の具体的な構成及び結線関係を示す回路図である。図示するように、この画素２は有機ＥＬデバイスなどで代表される発光素子ＥＬと、サンプリングトランジスタＴｒ１と、ドライブトランジスタＴｒｄと、保持容量Ｃｓとを含む。サンプリングトランジスタＴｒ１は、その制御端（ゲート）が対応する走査線ＷＳに接続し、一対の電流端（ソース及びドレイン）の片方が対応する信号線ＳＬに接続し、他方がドライブトランジスタＴｒｄの制御端（ゲートＧ）に接続する。ドライブトランジスタＴｒｄは、一対の電流端（ソースＳ及びドレイン）の一方が発光素子ＥＬに接続し、他方が対応する給電線ＶＬに接続している。本例では、ドライブトランジスタＴｒｄがＮチャネル型であり、そのドレインが給電線ＶＬに接続する一方、ソースＳが出力ノードとして発光素子ＥＬのアノードに接続している。発光素子ＥＬのカソードは所定のカソード電位Ｖｃａｔｈに接続している。保持容量ＣｓはドライブトランジスタＴｒｄの片方の電流端であるソースＳと制御端であるゲートＧの間に接続している。
【００１６】
かかる構成において、サンプリングトランジスタＴｒ１は走査線ＷＳから供給された制御信号に応じて導通し、信号線ＳＬから供給された信号電位をサンプリングして保持容量Ｃｓに保持する。ドライブトランジスタＴｒｄは、第１電位（高電位Ｖｃｃ）にある給電線ＶＬから電流の供給を受け保持容量Ｃｓに保持された信号電位に応じて駆動電流を発光素子ＥＬに流す。ライトスキャナ４は、信号線ＳＬが信号電位にある時間帯にサンプリングトランジスタＴｒ１を導通状態にするため、所定のパルス幅の制御信号を制御線ＷＳに出力し、以って保持容量Ｃｓに信号電位を保持すると同時にドライブトランジスタＴｒｄの移動度μに対する補正を信号電位に加える。この後ドライブトランジスタＴｒｄは保持容量Ｃｓに書き込まれた信号電位Ｖｓｉｇに応じた駆動電流を発光素子ＥＬに供給し、発光動作に入る。
【００１７】
本画素回路２は、上述した移動度補正機能に加え閾電圧補正機能も備えている。即ち電源スキャナ６は、サンプリングトランジスタＴｒ１が信号電位Ｖｓｉｇをサンプリングする前に、第１タイミングで給電線ＶＬを第１電位（高電位Ｖｃｃ）から第２電位（低電位Ｖｓｓ２）に切換える。またライトスキャナ４は同じくサンプリングトランジスタＴｒ１が信号電位Ｖｓｉｇをサンプリングする前に、第２タイミングでサンプリングトランジスタＴｒ１を導通させて信号線ＳＬから基準電位Ｖｓｓ１をドライブトランジスタＴｒｄのゲートＧに印加すると共にドライブトランジスタＴｒｄのソースＳを第２電位（Ｖｓｓ２）にセットする。電源スキャナ６は第２タイミングの後の第３タイミングで給電線ＶＬを第２電位Ｖｓｓ２から第１電位Ｖｃｃに切換えて、ドライブトランジスタＴｒｄの閾電圧Ｖｔｈに相当する電圧を保持容量Ｃｓに保持する。かかる閾電圧補正機能により、本表示装置は画素毎にばらつくドライブトランジスタＴｒｄの閾電圧Ｖｔｈの影響をキャンセルすることができる。
【００１８】
本画素回路２は、さらにブートストラップ機能も備えている。即ちライトスキャナ４は保持容量Ｃｓに信号電位Ｖｓｉｇが保持された段階で走査線ＷＳに対する制御信号の印加を解除し、サンプリングトランジスタＴｒ１を非道通状態にしてドライブトランジスタＴｒｄのゲートＧを信号線ＳＬから電気的に切り離し、以ってドライブトランジスタＴｒｄのソースＳの電位変動にゲートＧの電位が連動し、ゲートＧとソースＳ間の電圧Ｖｇｓを一定に維持することができる。
【００１９】
図３は、図２に示した先行開発にかかる画素回路２の動作説明に供するタイミングチャートである。時間軸を共通にして、走査線ＷＳの電位変化、給電線ＶＬの電位変化及び信号線ＳＬの電位変化を表している。またこれらの電位変化と並行に、ドライブトランジスタのゲートＧ及びソースＳの電位変化も表してある。
【００２０】
走査線ＷＳには、サンプリングトランジスタＴｒ１をオンするための制御信号パルスが印加される。この制御信号パルスは画素アレイ部の線順次走査に合わせて１フィールド（１ｆ）周期で走査線ＷＳに印加される。この制御信号パルスは一水平走査周期（１Ｈ）の間に二発のパルスを含んでいる。最初のパルスを第一パルスＰ１とし、後続のパルスを第二パルスＰ２と呼ぶ場合がある。給電線ＶＬは同じように１フィールド周期（１ｆ）で高電位Ｖｃｃと低電位Ｖｓｓ２との間で切換る。信号線ＳＬには一水平走査周期（１Ｈ）内で信号電位Ｖｓｉｇと基準電位Ｖｓｓ１が切換る駆動信号を供給している。
【００２１】
図３のタイミングチャートに示すように、画素は前のフィールドの発光期間から当該フィールドの非発光期間に入り、そのあと当該フィールドの発光期間となる。この非発光期間で準備動作、閾電圧補正動作、信号書込動作、移動度補正動作などを行う。
【００２２】
前フィールドの発光期間では、給電線ＶＬが高電位Ｖｃｃにあり、ドライブトランジスタＴｒｄが駆動電流Ｉｄｓを発光素子ＥＬに供給している。駆動電流Ｉｄｓは高電位Ｖｃｃにある給電線ＶＬからドライブトランジスタＴｒｄを介して発光素子ＥＬを通り、カソードラインに流れ込んでいる。
【００２３】
続いて当該フィールドの非発光期間に入るとまずタイミングＴ１で給電線ＶＬを高電位Ｖｃｃから低電位Ｖｓｓ２に切換える。これにより給電線ＶＬはＶｓｓ２まで放電され、さらにドライブトランジスタＴｒｄのソースＳの電位はＶｓｓ２まで下降する。これにより発光素子ＥＬのアノード電位（即ちドライブトランジスタＴｒｄのソース電位）は逆バイアス状態となるため、駆動電流が流れなくなり消灯する。またドライブトランジスタのソースＳの電位降下に連動してゲートＧの電位も降下する。
【００２４】
続いてタイミングＴ２になると、走査線ＷＳを低レベルから高レベルに切換えることで、サンプリングトランジスタＴｒ１が導通状態になる。この時信号線ＳＬは基準電位Ｖｓｓ１にある。よってドライブトランジスタＴｒｄのゲートＧの電位は導通したサンプリングトランジスタＴｒ１を通じて信号線ＳＬの基準電位Ｖｓｓ１となる。この時ドライブトランジスタＴｒｄのソースＳの電位はＶｓｓ１よりも十分低い電位Ｖｓｓ２にある。この様にしてドライブトランジスタＴｒｄのゲートＧとソースＳとの間の電圧ＶｇｓがドライブトランジスタＴｒｄの閾電圧Ｖｔｈより大きくなるように、初期化される。タイミングＴ１からタイミングＴ３までの期間Ｔ１‐Ｔ３はドライブトランジスタＴｒｄのゲートＧ／ソースＳ間電圧Ｖｇｓを予めＶｔｈ以上に設定する準備期間である。
【００２５】
この後タイミングＴ３になると、給電線ＶＬが低電位Ｖｓｓ２から高電位Ｖｃｃに遷移し、ドライブトランジスタＴｒｄのソースＳの電位が上昇を開始する。やがてドリライブトランジスタＴｒｄのゲートＧ／ソースＳ間電圧Ｖｇｓが閾電圧Ｖｔｈとなった所で電流がカットオフする。この様にしてドライブトランジスタＴｒｄの閾電圧Ｖｔｈに相当する電圧が保持容量Ｃｓに書き込まれる。これが閾電圧補正動作である。この時電流がもっぱら保持容量Ｃｓ側に流れ、発光素子ＥＬには流れないようにするため、発光素子ＥＬがカットオフとなるようにカソード電位Ｖｃａｔｈを設定しておく。
【００２６】
タイミングＴ４では走査線ＷＳがハイレベルからローレベルに戻る。換言すると、走査線ＷＳに印加された第一パルスＰ１が解除され、サンプリングトランジスタはオフ状態になる。以上の説明から明らかなように、第一パルスＰ１は閾電圧補正動作を行うために、サンプリングトランジスタＴｒ１のゲートに印加される。
【００２７】
この後信号線ＳＬが基準電位Ｖｓｓ１から信号電位Ｖｓｉｇに切換る。続いてタイミングＴ５で走査線ＷＳが再びローレベルからハイレベルに立上る。換言すると第二パルスＰ２がサンプリングトランジスタＴｒ１のゲートに印加される。これによりサンプリングトランジスタＴｒ１は再びオンし、信号線ＳＬから信号電位Ｖｓｉｇをサンプリングする。よってドライブトランジスタＴｒｄのゲートＧの電位は信号電位Ｖｓｉｇになる。ここで発光素子ＥＬは始めカットオフ状態（ハイインピーダンス状態）にあるためドライブトランジスタＴｒｄのドレインとソースの間に流れる電流は専ら保持容量Ｃｓと発光素子ＥＬの等価容量に流れ込み充電を開始する。この後サンプリングトランジスタＴｒ１がオフするタイミングＴ６までに、ドライブトランジスタＴｒｄのソースＳの電位はΔＶだけ上昇する。この様にして映像信号の信号電位ＶｓｉｇがＶｔｈに足し込まれる形で保持容量Ｃｓに書き込まれる共に、移動度補正用の電圧ΔＶが保持容量Ｃｓに保持された電圧から差し引かれる。よってタイミングＴ５からタイミングＴ６まで期間Ｔ５‐Ｔ６が信号書込期間＆移動度補正期間となる。換言すると、走査線ＷＳに第二パルスＰ２が印加されると、信号書込動作及び移動度補正動作が行われる。信号書込期間＆移動度補正期間Ｔ５‐Ｔ６は、第二パルスＰ２のパルス幅に等しい。即ち第二パルスＰ２のパルス幅が移動度補正期間を規定している。
【００２８】
この様に信号書込期間Ｔ５‐Ｔ６では信号電にＶｓｉｇの書込みと補正量ΔＶの調整が同時に行われる。Ｖｓｉｇが高いほどドライブトランジスタＴｒｄが供給する電流Ｉｄｓは大きくなり、ΔＶの絶対値も大きくなる。従って発光輝度レベルに応じた移動度補正が行われる。Ｖｓｉｇを一定とした場合、ドライブトランジスタＴｒｄの移動度μが大きいほどΔＶの絶対値が大きくなる。換言すると移動度μが大きいほど保持容量Ｃｓに対する負帰還量ΔＶが大きくなるので、画素毎の移動度μのばらつきを取り除くことが出来る。
【００２９】
最後にタイミングＴ６になると、前述したように走査線ＷＳが低レベル側に遷移し、サンプリングトランジスタＴｒ１はオフ状態となる。この状態を図４に模式的に示す。これによりドライブトランジスタＴｒｄのゲートＧは信号線ＳＬから切り離される。このとき図４に示すようにドレイン電流Ｉｄｓが発光素子ＥＬを流れ始める。これにより発光素子ＥＬのアノード電位は駆動電流Ｉｄｓに応じて上昇する。発光素子ＥＬのアノード電位の上昇は、即ちドライブトランジスタＴｒｄのソースＳの電位上昇に他ならない。ドライブトランジスタＴｒｄのソースＳの電位が上昇すると、保持容量Ｃｓのブートストラップ動作によりドライブトランジスタＴｒｄのゲートＧの電位も連動して上昇する。ゲート電位の上昇量はソース電位の上昇量に等しくなる。ゆえに発光期間中ドライブトランジスタＴｒｄのゲートＧ／ソースＳ間の入力電圧Ｖｇｓは一定に保持される。このゲート電圧Ｖｇｓの値は信号電位Ｖｓｉｇに閾電圧Ｖｔｈ及び移動量μの補正をかけたものとなっている。ドライブトランジスタＴｒｄは飽和領域で動作する。即ちドライブトランジスタＴｒｄは、ゲートＧ／ソースＳ間の入力電圧Ｖｇｓに応じた駆動電流Ｉｄｓを出力する。このゲート電圧Ｖｇｓの値は信号電位Ｖｓｉｇに閾電圧Ｖｔｈ及び移動量μの補正をかけたものとなっている。
【００３０】
図５は、図２に示した先行開発にかかる表示装置の特に電源スキャナ６を拡大表示した模式図である。図示するように電源スキャナ６は各給電線ＶＬに対応して各段ごとにインバータからなる出力バッファを有しており、入力信号ＩＮに応じて線順次走査に合わせながら給電線ＶＬを高電位Ｖｃｃと低電位Ｖｓｓ２との間で切換えている。なお出力バッファに供給される入力信号ＩＮは、電源スキャナ６に組み込まれたシフトレジスタ（図示せず）から順次各段ごとに供給される。入力信号ＩＮがローレベルのとき出力バッファを構成するインバータのＰチャネルトランジスタ側がオンし、高電位Ｖｃｃが給電線ＶＬに印加される。これが電源供給状態であり、画素アレイ部１側の画素２は基本的に発光状態に置かれる。一方入力信号ＩＮがハイレベルに切換るとインバータのＮチャネルトランジスタ側がオンし、給電線ＶＬには低電位Ｖｓｓ２が印加される。このとき画素アレイ部１側の発光素子ＥＬは基本的に非発光状態に置かれる。
【００３１】
上述した先行開発例にかかる表示装置は、走査線ＷＳにライトスキャナから二発目の制御パルスＰ２が印加されたとき、信号書込動作と移動度補正動作を同時に行っている。図３のタイミングチャートを参照すると、丁度制御パルスＰ２のパルス幅に等しい期間Ｔ５‐Ｔ６が信号書込み及び移動度補正時間に対応している。この先行開発にかかる表示装置は、信号書込み期間と移動度補正期間が分離していないため、表示装置の高精細化及び高密度化に対応することが難しい。
【００３２】
図６は、本発明にかかる表示装置の実施形態を表しており、上述した先行開発例の問題点に対処した構成となっている。基本的には図２及び図５に示した先行開発例と同様であり、理解を容易にするため対応する部分には対応する参照番号を付してある。特に異なる点は、電源スキャナ６の構成にある。図５に示した先行開発例の電源スキャナ６と比較すれば明らかなように、出力バッファの構成が異なっている。
【００３３】
図６に示すように本発明にかかる表示装置は、基本的に画素アレイ部１と駆動部とからなる。画素アレイ部１は、行状の走査線ＷＳと、列状の信号線ＳＬと、各走査線ＷＳと各信号線ＳＬとが交差する部分に配された行列状の画素２と、各走査線ＷＳと並行に配された給電線ＶＬとを備えている。各画素２は少なくとも、サンプリングトランジスタＴｒ１と、ドライブトランジスタＴｒｄと、保持容量Ｃｓと、発光素子ＥＬとを備えている。サンプリングトランジスタＴｒ１はその制御端（ゲート）が走査線ＷＳに接続し、その一対の電流端（ソース／ドレイン）が信号線ＳＬとドライブトランジスタＴｒｄの制御端（ゲートＧ）との間に接続している。ドライブトランジスタＴｒｄは、一対の電流端（ソース／ドレイン）の一方（ソースＳ）が発光素子ＥＬに接続し、他方（ドレイン）が給電線ＶＬに接続している。保持容量Ｃｓは、ドライブトランジスタＴｒｄのゲートＧとソースＳとの間に接続している。
【００３４】
駆動部は少なくとも、各走査線ＷＳに順次制御信号を供給して線順次走査を行うライトスキャナ４と、線順次走査に同期して各信号線ＳＬに信号電位Ｖｓｉｇと基準電位Ｖｓｓ１を切換えて供給する信号セレクタ３と、線順次走査に合わせて各給電線ＶＬを電源供給状態とフローティング状態で切換える電源スキャナ６とを有している。各給電線ＶＬは電源供給状態にあるとき高電位Ｖｃｃが印加されており、フローティング状態にあるときハイインピーダンスとなっている。なお給電線ＶＬはこれらの電位以外にも所定の期間だけ固定電位（低電位）Ｖｓｓ２に保持されている。
【００３５】
サンプリングトランジスタＴｒ１は、信号線ＳＬが信号電位Ｖｓｉｇで給電線ＶＬがフローティング状態のとき走査線ＷＳに供給された制御信号に応じてオンし、信号線ＳＬから信号電位にＶｓｉｇをサンプリングして保持容量Ｃｓに書き込む。ドライブトランジスタＴｒｄは、サンプリングトランジスタＴｒ１が引き続きオン状態で給電線ＶＬがフローティング状態から電源供給状態（Ｖｃｃ）に切換った後、サンプリングトランジスタＴｒ１がオフするまでの間に、ドライブトランジスタＴｒｄを流れる電流を保持容量Ｃｓに負帰還して、ドライブトランジスタＴｒｄの移動度のばらつきを補正する。発光素子ＥＬはサンプリングトランジスタＴｒ１がオフした後、ドライブトランジスタＴｒｄから供給される電流に応じて発光する。
【００３６】
以上の説明から明らかなように、本実施形態にかかる表示装置はサンプリングトランジスタＴｒ１をオンして信号電位Ｖｓｉｇを保持容量Ｃｓに書き込んでいる間、電源スキャナ６により給電線ＶＬをフローティング状態に置く。画素２には電源供給がなされないため、信号電位の書込動作が行われている間、保持容量Ｃｓには電流が流れ込まないので、移動度補正動作は行われていない。引き続きサンプリングトランジスタＴｒ１をオン状態として、電源スキャナ６により給電線ＶＬをフローティング状態から電源供給状態に切換える。これによりドライブトランジスタＴｒｄのゲートＧに信号電位Ｖｓｉｇを印加した状態でドライブトランジスタＴｒｄに電流を流しこれを保持容量Ｃｓに負帰還することで移動度補正動作を行っている。かかる構成により、信号書込み期間と移動度補正期間を分割することが可能となり、表示装置（パネル）の高精細化及び高密度化に対処できる。
【００３７】
具体的な構成では図６に示すように、電源スキャナ６はシフトレジスタとバッファとからなる。なお図では理解を容易にするため、シフトレジスタの出力段を構成するバッファのみを表し、シフトレジスタ自体は図示を省略している。シフトレジスタは線順次走査に合わせて各段ごとに入力信号ＩＮ１，ＩＮ２を出力する。なおＩＮ１とＩＮ２は位相が異なっている。出力バッファは、入力信号ＩＮ１，ＩＮ２に応じて対応する給電線ＶＬをフローティング状態と電源供給状態との間で切換える。実施形態では、この出力バッファはＰチャネルトランジスタとＮチャネルトランジスタからなるインバータで構成されている。Ｐチャネルトランジスタは高電位Ｖｃｃと出力端子との間に接続されている。Ｎチャネルトランジスタは出力端子と低電位Ｖｓｓ２との間に接続されている。出力端子は対応する行の給電線ＶＬに接続している。入力信号ＩＮ１及びＩＮ２が共にローレベルのとき、Ｐチャネルトランジスタがオンして給電線ＶＬには高電位Ｖｃｃが印加される。これが電源供給状態である。逆に入力信号ＩＮ１，ＩＮ２が共にハイレベルのとき、Ｎチャネルトランジスタ側がオンして給電線ＶＬは低電位Ｖｓｓ２に固定される。さらに入力信号ＩＮ１がハイレベルでＩＮ２がローレベルのとき、Ｐチャネルトランジスタ及びＮチャネルトランジスタは共にオフとなり、給電線ＶＬはＶｃｃ，Ｖｓｓ２から切り離されフローティング状態（ハイインピーダンス）になる。
【００３８】
上述したように本実施形態は電源スキャナ６の出力バッファを改良して、給電線ＶＬを電源供給状態とフローティング状態とで切換える構成となっている。但し本発明はこれに限られるものではない。例えば電源スキャナ６は各給電線ＶＬとこれに対応する出力バッファとの間にスイッチを挿入する構成としても良い。この場合電源スキャナ６は線順次走査に合わせてこのスイッチをオンオフ制御して、給電線ＶＬをフローティング状態と電源供給状態との間で切換えることが出来る。
【００３９】
好ましくは本実施形態は、信号電位書込動作及び移動度補正動作に先立って、閾電圧補正動作を行う。即ちサンプリングトランジスタＴｒ１は、信号線ＳＬが基準電位Ｖｓｓ１で給電線ＶＬが所定の固定電位Ｖｓｓ２にあるとき走査線ＷＳに供給された制御信号におじてオンし、ドライブトランジスタＴｒｄの制御端（ゲートＧ）を基準電位Ｖｓｓ１にセットし、ドライブトランジスタＴｒｄの電流端（ソースＳ）を固定電位Ｖｓｓ２にセットする。その後電源スキャナ６は給電線ＶＬを固定電位（Ｖｓｓ２）から電源供給状態（Ｖｃｃ）に戻してドライブトランジスタＴｒｄがカットオフするまで電流を流し、以ってドライブトランジスタＴｒｄの閾電圧Ｖｔｈに相当する電圧を保持容量Ｃｓに保持する。
【００４０】
図７は、図６に示した本発明にかかる表示装置の動作説明に供するタイミングチャートである。理解を容易にするため、図３に示した先行開発にかかる表示装置のタイミングチャートと同様の表記を採用している。図７のタイミングチャートは、走査線ＷＳ、給電線ＶＬ、ドライブトランジスタのゲートＧ及びソースＳの電位変化に加え、電源スキャナの出力バッファに印加される入力信号ＩＮ１，ＩＮ２の電位変化も表してある。前述した様にＩＮ１及びＩＮ２がハイレベルのとき給電線ＶＬは固定電位Ｖｓｓ２に保持される。ＩＮ１及びＩＮ２が共にローレベルのとき、給電線ＶＬは高電位Ｖｃｃとなり、電源供給状態である。加えてＩＮ１がハイレベルでＩＮ２がローベルのとき、給電線ＶＬはフローティング状態となる。
【００４１】
図７のタイミングチャートに示すように、画素は前のフィールドの発光期間から当該フィールドの非発光期間に入り、そのあと当該フィールドの発光期間となる。この非発光期間で準備動作、閾電圧補正動作、信号書込動作、移動度補正動作などを行う。
【００４２】
前フィールドの発光期間では、給電線ＶＬが高電位Ｖｃｃにあり、ドライブトランジスタＴｒｄが駆動電流Ｉｄｓを発光素子ＥＬに供給している。駆動電流Ｉｄｓは高電位Ｖｃｃにある給電線ＶＬからドライブトランジスタＴｒｄを介して発光素子ＥＬを通り、カソードラインに流れ込んでいる。
【００４３】
続いて当該フィールドの非発光期間に入るとまずタイミングＴ１で給電線ＶＬを高電位Ｖｃｃから低電位Ｖｓｓ２に切換える。これにより給電線ＶＬはＶｓｓ２まで放電され、さらにドライブトランジスタＴｒｄのソースＳの電位はＶｓｓ２まで下降する。これにより発光素子ＥＬのアノード電位（即ちドライブトランジスタＴｒｄのソース電位）は逆バイアス状態となるため、駆動電流が流れなくなり消灯する。またドライブトランジスタのソースＳの電位降下に連動してゲートＧの電位も降下する。
【００４４】
続いてタイミングＴ２になると、走査線ＷＳを低レベルから高レベルに切換えることで、サンプリングトランジスタＴｒ１が導通状態になる。この時信号線ＳＬは基準電位Ｖｓｓ１にある。よってドライブトランジスタＴｒｄのゲートＧの電位は導通したサンプリングトランジスタＴｒ１を通じて信号線ＳＬの基準電位Ｖｓｓ１となる。この時ドライブトランジスタＴｒｄのソースＳの電位はＶｓｓ１よりも十分低い電位Ｖｓｓ２にある。この様にしてドライブトランジスタＴｒｄのゲートＧとソースＳとの間の電圧ＶｇｓがドライブトランジスタＴｒｄの閾電圧Ｖｔｈより大きくなるように、初期化される。タイミングＴ１からこの後タイミングＴ３までの期間Ｔ１‐Ｔ３はドライブトランジスタＴｒｄのゲートＧ／ソースＳ間電圧Ｖｇｓを予めＶｔｈ以上に設定する準備期間である。
【００４５】
タイミングＴ３では、給電線ＶＬが低電位Ｖｓｓ２から高電位Ｖｃｃに遷移し、ドライブトランジスタＴｒｄのソースＳの電位が上昇を開始する。やがてドリライブトランジスタＴｒｄのゲートＧ／ソースＳ間電圧Ｖｇｓが閾電圧Ｖｔｈとなった所で電流がカットオフする。この様にしてドライブトランジスタＴｒｄの閾電圧Ｖｔｈに相当する電圧が保持容量Ｃｓに書き込まれる。これが閾電圧補正動作である。この時電流がもっぱら保持容量Ｃｓ側に流れ、発光素子ＥＬには流れないようにするため、発光素子ＥＬがカットオフとなるようにカソード電位Ｖｃａｔｈを設定しておく。
【００４６】
タイミングＴ４では走査線ＷＳがハイレベルからローレベルに戻る。換言すると、走査線ＷＳに印加された第一パルスＰ１が解除され、サンプリングトランジスタはオフ状態になる。以上の説明から明らかなように、第一パルスＰ１は閾電圧補正動作を行うために、サンプリングトランジスタＴｒ１のゲートに印加される。
【００４７】
この後タイミングＴａで信号線ＳＬが基準電位Ｖｓｓ１から信号電位Ｖｓｉｇに切換る。このときＩＮ１がローレベルからハイレベルに切換るため給電線ＶＬはフローティング状態となる。
【００４８】
この後タイミングＴｂで制御線ＷＳに２発目のパルスＰ２が印加され、サンプリングトランジスタＴｒ１がオンする。このとき信号線ＳＬは既に信号電位Ｖｓｉｇに切換っているため、ドライブトランジスタＴｒｄのゲートＧに信号電位Ｖｓｉｇが印加され、信号書込動作が開始する。この時点で給電線ＶＬはフローティング状態にあるため、ドライブトランジスタＴｒｄには電流が流れず、よって保持容量Ｃｓにも電流負帰還がかからないため、移動度補正は行われない。換言すると移動度補正動作を行うことなく信号書込動作のみを実行できる。
【００４９】
この様にして十分に信号電位ＶｓｉｇがドライブトランジスタＴｒｄのゲートＧに書き込まれた後、タイミングＴ５でＩＮ１をローレベルにし給電線ＶＬを電源供給状態に戻す。このときサンプリングトランジスタＴｒ１は引き続きオン状態にあるため、ドライブトランジスタＴｒｄのゲートＧには信号電位Ｖｓｉｇが印加されている。一方給電線ＶＬが電源供給状態となるためドライブトランジスタＴｒｄには電流が流れ始める。タイミングＴ５の時点では発光素子ＥＬはカットオフ状態（ハイインピーダンス状態）にあるためドライブトランジスタＴｒｄのドレインとソースの間に流れる電流は専ら保持容量Ｃｓと発光素子ＥＬの等価容量に流れ込み充電を開始する。この後サンプリングトランジスタＴｒ１がオフするタイミングＴ６までにドライブトランジスタＴｒｄのソースＳの電位はΔＶだけ上昇する。この様にして移動度補正用の電圧ΔＶが保持容量Ｃｓに保持された電圧から差し引かれる。よってタイミングＴ５からタイミングＴ６までの期間Ｔ５‐Ｔ６が移動度補正期間となる。
【００５０】
最後にタイミングＴ６になると、前述したように走査線ＷＳが低レベル側に遷移し、サンプリングトランジスタＴｒ１はオフ状態となる。これによりドライブトランジスタＴｒｄのゲートＧは信号線ＳＬから切り離される。このときドレイン電流Ｉｄｓが発光素子ＥＬを流れ始め、発光素子ＥＬのアノード電位は駆動電流Ｉｄｓに応じて上昇する。発光素子ＥＬのアノード電位の上昇は、即ちドライブトランジスタＴｒｄのソースＳの電位上昇に他ならない。ドライブトランジスタＴｒｄのソースＳの電位が上昇すると、保持容量Ｃｓのブートストラップ動作によりドライブトランジスタＴｒｄのゲートＧの電位も連動して上昇する。ゲート電位の上昇量はソース電位の上昇量に等しくなる。ゆえに発光期間中ドライブトランジスタＴｒｄのゲートＧ／ソースＳ間の入力電圧Ｖｇｓは一定に保持される。このゲート電圧Ｖｇｓの値は信号電位Ｖｓｉｇに閾電圧Ｖｔｈ及び移動量μの補正をかけたものとなっている。ドライブトランジスタＴｒｄは飽和領域で動作する。即ちドライブトランジスタＴｒｄは、ゲートＧ／ソースＳ間の入力電圧Ｖｇｓに応じた駆動電流Ｉｄｓを出力する。このゲート電圧Ｖｇｓの値は信号電位Ｖｓｉｇに閾電圧Ｖｔｈ及び移動量μの補正をかけたものとなっている。
【００５１】
以上の説明から明らかなように本発明ではタイミングＴｂからタイミングＴ６までの期間が信号書込み期間となり、タイミングＴ５〜Ｔ６までの期間が移動度補正期間となる。この様に信号書込み期間と移動度補正期間とを分割することが出来る。十分な信号書込み期間を確保しつつ移動度補正期間を最適な長さに合わせ込むことが可能となり、パネルの高精細化及び高密度化に対処可能になる。
【００５２】
図８は、パネル輝度（Ｎｉｔ）と移動度補正時間（μｓ）との関係を示すグラフである。カーブＡは本発明にかかる表示装置の移動度補正時間／パネル輝度の関係を示しており、カーブＢは先行開発にかかる表示装置のパネル輝度／移動度補正時間を表してある。本発明の場合カーブＡに示すように、移動度補正を開始する時点では信号電位の書込動作は十分に進行しており、パネル輝度は１６００Ｎｉｔとなっている。その後移動度補正時間が長くなるにつれ、保持容量Ｃｓに対する電流負帰還が進行するので、ドライブトランジスタＴｒｄのＶｇｓが圧縮され、パネル輝度が低下していく。カーブＡに示すように本発明では移動度補正時間がスタートする時点でほぼ信号書き込みは完了しているため、移動度補正時間自体は信号書込動作に関係することなく、最適な期間に設定することが出来る。例えば最適移動度補正時間が０．２μｓであれば、その通りに図７のタイミングチャートのタイミングＴ５もしくはＴ６を設定することが出来る。
【００５３】
一方カーブＢに示すように先行開発例では、信号電位書込動作と移動度補正動作が同時に進行するため、移動度補正時間を余り短く設定することは出来ない。即ち移動度補正時間を０．５μｓ以下の設定しようとすると、この時間幅では信号電位の書き込みを十分に行うことが出来ずパネル輝度は上昇しない。移動度補正時間を０．５μｓより長く取ればカーブＡと重なるため動作上は問題ない。しかしながらパネルの高密度化が進むと画素の等価容量が少なくなるため、最適な移動度補正時間もその分短くなる。しかしながら先行開発例ではカーブＢに示すように移動度補正時間を０．５μｓよりも短くすることが出来ず、最適な移動度補正をかけることが出来なくなってしまう。これによりパネルの画面上に筋状のむらが発生し、画面のユニフォーミティを損なう。
【００５４】
本発明にかかる表示装置は、図９に示すような薄膜デバイス構成を有する。本図は、絶縁性の基板に形成された画素の模式的な断面構造を表している。図示するように、画素は、複数の薄膜トランジタを含むトランジスター部（図では１個のＴＦＴを例示）、保持容量などの容量部及び有機ＥＬ素子などの発光部とを含む。基板の上にＴＦＴプロセスでトランジスター部や容量部が形成され、その上に有機ＥＬ素子などの発光部が積層されている。その上に接着剤を介して透明な対向基板を貼り付けてフラットパネルとしている。
【００５５】
本発明にかかる表示装置は、図１０に示すようにフラット型のモジュール形状のものを含む。例えば絶縁性の基板上に、有機ＥＬ素子、薄膜トランジスタ、薄膜容量等からなる画素をマトリックス状に集積形成した画素アレイ部を設ける、この画素アレイ部（画素マトリックス部）を囲むように接着剤を配し、ガラス等の対向基板を貼り付けて表示モジュールとする。この透明な対向基板には必要に応じて、カラーフィルタ、保護膜、遮光膜等を設けてももよい。表示モジュールには、外部から画素アレイ部への信号等を入出力するためのコネクタとして例えばＦＰＣ（フレキシブルプリントサーキット）を設けてもよい。
【００５６】
以上説明した本発明における表示装置は、フラットパネル形状を有し、様々な電子機器、例えば、デジタルカメラ、ノート型パーソナルコンピューター、携帯電話、ビデオカメラなど、電子機器に入力された、若しくは、電子機器内で生成した駆動信号を画像若しくは映像として表示するあらゆる分野の電子機器のディスプレイに適用することが可能である。以下この様な表示装置が適用された電子機器の例を示す。
【００５７】
図１１は本発明が適用されたテレビであり、フロントパネル１２、フィルターガラス１３等から構成される映像表示画面１１を含み、本発明の表示装置をその映像表示画面１１に用いることにより作製される。
【００５８】
図１２は本発明が適用されたデジタルカメラであり、上が正面図で下が背面図である。このデジタルカメラは、撮像レンズ、フラッシュ用の発光部１５、表示部１６、コントロールスイッチ、メニュースイッチ、シャッター１９等を含み、本発明の表示装置をその表示部１６に用いることにより作製される。
【００５９】
図１３は本発明が適用されたノート型パーソナルコンピュータであり、本体２０には文字等を入力するとき操作されるキーボード２１を含み、本体カバーには画像を表示する表示部２２を含み、本発明の表示装置をその表示部２２に用いることにより作製される。
【００６０】
図１４は本発明が適用された携帯端末装置であり、左が開いた状態を表し、右が閉じた状態を表している。この携帯端末装置は、上側筐体２３、下側筐体２４、連結部（ここではヒンジ部）２５、ディスプレイ２６、サブディスプレイ２７、ピクチャーライト２８、カメラ２９等を含み、本発明の表示装置をそのディスプレイ２６やサブディスプレイ２７に用いることにより作製される。
【００６１】
図１５は本発明が適用されたビデオカメラであり、本体部３０、前方を向いた側面に被写体撮影用のレンズ３４、撮影時のスタート／ストップスイッチ３５、モニター３６等を含み、本発明の表示装置をそのモニター３６に用いることにより作製される。
【図面の簡単な説明】
【００６２】
【図１】先行開発例にかかる表示装置の全体構成を示すブロック図である。
【図２】図２に示した表示装置の具体的な構成を示す回路図である。
【図３】図２に示した表示装置の動作説明に供するタイミングチャートである。
【図４】図２に示す表示装置の動作説明に供する模式図である。
【図５】同じく先行開発例にかかる表示装置を示す回路図である。
【図６】本発明にかかる表示装置の構成を示す回路図である。
【図７】図６に示した表示装置の動作説明に供するタイミングチャートである。
【図８】同じく図６に示した表示装置の動作説明に供するグラフである。
【図９】本発明にかかる表示装置のデバイス構成を示す断面図である。
【図１０】本発明にかかる表示装置のモジュール構成を示す平面図である。
【図１１】本発明にかかる表示装置を備えたテレビジョンセットを示す斜視図である。
【図１２】本発明にかかる表示装置を備えたデジタルスチルカメラを示す斜視図である。
【図１３】本発明にかかる表示装置を備えたノート型パーソナルコンピューターを示す斜視図である。
【図１４】本発明にかかる表示装置を備えた携帯端末装置を示す模式図である。
【図１５】本発明にかかる表示装置を備えたビデオカメラを示す斜視図である。
【符号の説明】
【００６３】
１・・・画素アレイ部、２・・・画素、３・・・水平セレクタ（信号セレクタ）、４・・・ライトスキャナ、５・・・ドライブスキャナ、Ｔｒ１・・・サンプリングトランジスタ、Ｔｒｄ・・・ドライブトランジスタ、Ｔｒ２・・・スイッチングトランジスタ、Ｃｓ・・・保持容量、ＥＬ・・・発光素子
【図１】
2009098431.tif 000003
【図２】
2009098431.tif 000004
【図３】
2009098431.tif 000005
【図４】
2009098431.tif 000006
【図５】
2009098431.tif 000007
【図６】
2009098431.tif 000008
【図７】
2009098431.tif 000009
【図８】
2009098431.tif 000010
【図９】
2009098431.tif 000011
【図１０】
2009098431.tif 000012
【図１１】
2009098431.tif 000013
【図１２】
2009098431.tif 000014
【図１３】
2009098431.tif 000015
【図１４】
2009098431.tif 000016
【図１５】
2009098431.tif 000017